(57)【要約】【課題】電子機器の筐体に貫通口から外部へ突出固定されるコネクタを侵食しない密閉状にでき、このコネクタに接続されたケーブルにノイズが乗らない距離にフェライトコアを筐体内に配設でき、フェライトコア及びコネクタの配設時に部品点数の増加によるコストアップや人的ミス並びに接触不良等の信頼性の低下を招かないようにする。【解決手段】筐体５内で電気及び電子機器に一端が電気的に接続されるケーブル４の他端に接続され、筐体５の貫通口５ａに挿通されて筐体５内から外部にコネクタ部２０ｃが突出して取付けられる。本実施形態の特徴は、コネクタ部２０ｃにおける筐体５外部への突出端部と反対側の端部に、ケーブル４に挿通されるフェライトコア７が、コネクタ部２０ｃに対してノイズが当該ケーブル４に重畳されない距離離れて載置固定される載置部としてのＬ字型金具部２０ｄを、コネクタ部２０ｃと一体に形成した。【選択図】図１
2013069658.tif 000002
【特許請求の範囲】
【請求項１】
筐体の貫通口に挿通されて筐体内から外部にコネクタ部が突出して取付けられるコネクタにおいて、
ケーブルに挿通される前記筐体内のフェライトコアが載置固定される固定部を有し、
前記コネクタ部は、前記固定部と一体に形成したことを特徴とするコネクタ。
【請求項２】
前記フェライトコアは、前記コネクタ部に対してノイズが当該ケーブルに重畳されない距離に載置されていることを特徴とする請求項１記載のコネクタ。
【請求項３】
前記固定部には、前記フェライトコアを載置した後、当該フェライトコアにバンドを巻き付けて固定する際に、当該バンドを挿通する貫通口が複数形成されていることを特徴とする請求項１記載のコネクタ。
【請求項４】
前記固定部は、前記コネクタ部と着脱自在に分離可能なアタッチメント型となっていることを特徴とする請求項１記載のコネクタ。
【請求項５】
前記筐体の貫通口に嵌合固定された円筒状のフランジの周回壁には、前記円筒状の径方向に貫通する貫通口が形成され、前記コネクタ部には、前記フランジに当該コネクタ部を所定位置まで挿入して嵌合した際に、前記貫通口と重なる位置に前記径方向に螺子穴が形成されていることを特徴とする請求項１〜３の何れか１つに記載のコネクタ。
【請求項６】
前記コネクタ部の周回面に突起部を設け、前記フランジの周回壁にこの開口端から前記コネクタ部の挿入方向に前記突起部が移動可能なスリットを形成したことを特徴とする請求項５記載のコネクタ。
【請求項７】
前記固定部は、前記コネクタ部の前記筐体側の端部を挟むように締結することによって着脱自在に分離可能であることを特徴とする請求項４に記載のコネクタ。
【発明の詳細な説明】
【技術分野】
【０００１】
本発明は、フェライトコアに挿通されたケーブルに接続されるコネクタに関する。
【背景技術】
【０００２】
従来、通信基地局は、ＰＨＳ基地局に代表される低出力で小型の屋外設置タイプの基地局と、携帯電話基地局に代表される高出力で大型のキャビネット内に設置するタイプの基地局がある。しかしながら、大型であった携帯電話基地局も小型化の技術が進んでおり、設置性の面からも屋外設置タイプが求められつつある。屋外設置タイプの基地局は密閉構造が求められるため、外部コネクタも対応したものが求められる。
【０００３】
また、通信基地局等の電子機器は、更なる増加によって電磁環境が悪化し、電子機器の誤動作が危惧されているが、電子機器内部で発生した電磁ノイズが、電源ケーブル、コネクタケーブルなどの電気接続用のケーブルを通して外部に伝導又は輻射する。このノイズの発生によるＥＭＩ(Electromagnetic Interference：電波障害)の対策として、電子機器のケーブルに環状フェライトコアを挿通してノイズを抑制することが行われている。
【０００４】
このようなＥＭＩ対策を施した外部ケーブルを用いた場合、電子機器筐体の設置条件によって外部ケーブルの長さが異なるため、筐体供給側にて用意しておくことができない。このため、ＥＭＩ対策部材であるフェライトコアを筐体内に設ける必要がある。
【０００５】
フェライトコアを効果的に用いるには、図８に示すように、電子機器筐体５内において図示せぬ筐体貫通口に嵌合された外部ケーブル接続用のコネクタ２の間近に、フェライトコア７を配置することが求められる。コネクタ２は、密閉構造が求められる通信基地局では図示のように丸型であり、フランジ３で筐体５に固定される。コネクタ２には筐体５内のケーブル４が接続されており、ケーブル４にフェライトコア７が挿通され、また、ケーブル４の先端には電子機器接続用の先端コネクタ１が接続されている。
【０００６】
また、図９に示すように、ＡＣ（交流）入力電源ケーブル４ａ〜４ｃのＥＭＩ対策によっては、複数のフェライトコア７ａ〜７ｃを必要とする場合がある。なお、ＡＣ入力電源ケーブル４ａ〜４ｃのＡＣ−Ｌ，ＡＣ−Ｎ、ＦＧ（アース）は三又タイプのソケット１ａを表す。
【０００７】
この種のフェライトコアをケーブルに挿通した構成として特許文献１に記載のものがある。
【先行技術文献】
【特許文献】
【０００８】
【特許文献１】特開平１１−７８３６号公報
【発明の概要】
【発明が解決しようとする課題】
【０００９】
しかしながら、上述した図８や図９に示すように、フェライトコア７（７ａ〜７ｃ）でＥＭＩ対策を行う場合、フェライトコアのノイズ抑制を最大とするためには、図１０（ａ）に示すように、フェライトコア７をコネクタ２の間近に配置しなければならない。このように間近に配置した場合、ソケット１ａを介してＡＣ入力電源ケーブル４に乗ったノイズＮ１や、ソケット１ａ以降にＡＣ入力電源ケーブル４の乗ったノイズＮ２がフェライトコア７で抑制される。
【００１０】
また、図１０（ｂ）に示すように、コネクタ２とフェライトコア７が所定距離離れると、フェライトコア７とコネクタ２間で、ＡＣ入力電源ケーブル４に除去不可能なノイズＮ３が乗って、コネクタ２を介して筐体５の外部へ出力されてしまう。
【００１１】
しかし、図１０（ａ）に示すように、フェライトコア７をコネクタ２の間近、つまりノイズＮ３が乗らない間近に固定する場合、振動によりフェライトコア７が筐体５内部の他の電子部品に接触したり、フェライトコア７の重みによりケーブル４の脱落や破損に至ったりすることが考えられるため、図示せぬ固定具を別途用意する等、フェライトコア７の固定方法を考慮しなければならない。
【００１２】
例えば、図９に示したフェライトコア７ａ〜７ｃを、その考慮した方法で図１１に示すように固定したとする。これは、振動によりフェライトコア７ａ〜７ｃが筺体５内部の他の電子部品に接触して破損することを防止するためクッション材ｋ１，ｋ２を巻きつけ、結束バンドｋ３，ｋ４で固定部材ｋ５，ｋ６により筐体５に固定する。
【００１３】
また、筺体５はダイキャスト筺体を想定しており、ダイキャスト筺体５内部にねじ穴等の取り付け加工を行う場合、底面の加工はたやすいものの内側側面の加工は困難なため、フェライトコア７ａ〜７ｃの固定位置は底面となる。しかしながら、コネクタ２は側面に配置されるため、フェライトコア７ａ〜７ｃを底面に固定した場合、図１０（ａ）に示したような最適な配置はできず、図１１に矢印Ｙ１，Ｙ２で示すようにコネクタ２とフェライトコア７ａ〜７ｃ間が離れてしまうという問題がある。
【００１４】
また、図８に示したようにフランジタイプの丸型コネクタ２を用いる場合、図１２に示すように、コネクタ２を筺体５に取り付ける際の貫通口５ａの直径Ｄ１の制限を受ける。この制限により、図１２（ａ）に示すようにフェライトコア７がケーブル４に挿通されていない場合はよいが、（ｂ）に示すようにノイズ対策用に貫通口５ａの直径Ｄ１よりも大きなフェライトコア７がケーブル４に挿通されている場合、そのフェライトコア７を貫通口５ａに通すことができない。この場合、貫通口５ａの直径を大きくすれば、その分、フランジ３の取付け面積を取られてしまい、筐体の小型化を阻害する要因となる。
【００１５】
これを解決するために、図１３に示すように貫通口５ａを通るサイズの１対の中継コネクタ２ａ，２ｂを用いる方法がある。これは、筐体５内のフェライトコア７が挿通されたケーブル４に一方の中継コネクタ２ａを接続し、コネクタ２のケーブル４ａに他方の中継コネクタ２ｂを接続し、この中継コネクタ２ｂを貫通口５ａに通してもう一方の中継コネクタ２ａに接続すればよい。
【００１６】
しかしながら、中継コネクタ２ａ，２ｂを用いることで、必要以上にケーブル長が長くなる可能性があり、図１０（ａ）にフェライトコア７とコネクタ２とを間近に配置することもできなくなる。また、部品点数増加によるコストアップや人的ミス並びに接触不良等の信頼性の低下が生じるという問題がある。
【００１７】
更に、図１４に示すように、予め環状フェライトコア７が挿通されたケーブル４の後端部に接続されている内部側のコネクタ２ａを、貫通口５ａから差し込んで外部へ突出させて筐体５に固定し、この固定されたコネクタ２ａに外部側のコネクタ２ｂを差し込んで嵌合し電気的に接続する構成もある。
【００１８】
この従来構成は次のような問題がある。電子機器が例えば通信基地局であって、この通信基地局が屋外で、図１５に示すように内部側のコネクタ２ａ及び外部側のコネクタ２ｂを上向きに設置されているとする。この場合、コネクタ２ａと筐体５の内壁との間には防水のためＯリング１０が介在されるので、外部側のコネクタ２ｂと筐体５との隙間から雨水１１が入った場合、その雨水１１はＯリング１０で止まり筐体５内部へは入らない。しかし、Ｏリング１０から外部方向へ向かう隙間、即ち、筐体５と各コネクタ２ａ，２ｂとの隙間に雨水１１が溜まるため、筐体５が腐食して結果的に内部へ雨水１１が入ってしまう。このように水滴が溜まる可能性があるため、浸食の影響を受け易いという問題がある。
【００１９】
本発明は上記した課題を解決するためになされたものであり、電子機器の筐体に貫通口から外部へ突出固定されるコネクタを侵食しない密閉状に固定することができる、コネクタを提供することを目的とする。
【課題を解決するための手段】
【００２０】
上記した課題を解決するために本発明は、筐体の貫通口に挿通されて筐体内から外部にコネクタ部が突出して取付けられるコネクタにおいて、ケーブルに挿通される前記筺体内のフェライトコアが載置固定される固定部を有し、前記コネクタ部は、前記固定部と一体に形成したことを特徴とする。
【００２１】
本発明において、前記フェライトコアは、前記コネクタ部に対してノイズが当該ケーブルに重畳されない距離に載置されていることを特徴とする。
【００２２】
本発明において、前記固定部には、前記フェライトコアを載置した後、当該フェライトコアにバンドを巻き付けて固定する際に、当該バンドを挿通する貫通口が複数形成されていることを特徴とする。
【００２３】
本発明において、前記固定部は、前記コネクタ部と着脱自在に分離可能なアタッチメント型となっていることを特徴とする。
【００２４】
本発明において、前記筐体の貫通口に嵌合固定された円筒状のフランジの周回壁には、前記円筒状の径方向に貫通する貫通口が形成され、前記コネクタ部には、前記フランジに当該コネクタ部を所定位置まで挿入して嵌合した際に、前記貫通口と重なる位置に前記径方向に螺子穴が形成されていることを特徴とする。
【００２５】
本発明において、前記コネクタ部の周回面に突起部を設け、前記フランジの周回壁にこの開口端から前記コネクタ部の挿入方向に前記突起部が移動可能なスリットを形成したことを特徴とする。
【００２６】
本発明において、前記固定部は、前記コネクタ部の前記筐体側の端部を挟むように締結することによって着脱自在に分離可能であることを特徴とする。
【発明の効果】
【００２７】
本発明によれば、電子機器の筐体に貫通口から外部へ突出固定されるコネクタを侵食しない密閉状に固定することができる。
【図面の簡単な説明】
【００２８】
【図１】本発明の実施の形態に係るコネクタの構成を示す断面図である。
【図２】本発明の実施の形態に係るコネクタの構成を示す分解図である。
【図３】Ｌ字型金具部付きコネクタ部の構成を示す図である。
【図４】コネクタ部のＬ字型金具部にフェライトコアを載置固定した際の構成を示す図である。
【図５】コネクタ部のＬ字型金具部に２つのフェライトコアを載置固定した際の構成を示す図である。
【図６】コネクタ部から着脱自在に分離したアタッチメント型のＬ字型金具部及びＬ字型金具部の各種構成パターンを示す図である。
【図７】Ｌ字型金具部付きコネクタ部に螺子及び突起部を形成し、フランジの周回壁に貫通口及びスリットを形成した構成を示す図である。
【図８】従来のコネクタの構成を示す斜視図である。
【図９】従来のフェライトコアを３つ使用した際のコネクタの構成を示す図である。
【図１０】従来のフェライトコアの正／誤の配設位置を示す図である。
【図１１】従来のフェライトコアを３つ使用した際のコネクタの構成を示す図である。
【図１２】従来のフェライトコアの有無の場合のコネクタの構成を示す図である。
【図１３】従来の中継コネクタを用いた際のコネクタの構成を示す図である。
【図１４】従来の組み合わせ型のコネクタを用いた際の構成を示す図である。
【図１５】従来のコネクタと筐体との境界部分に水が溜まった様子を示す図である。
【図１６】本実施形態の変形例３の筺体側コネクタの構成を示す断面図である。
【図１７】図１６に示す固定部のみを図示する側面図および平面図である。
【図１８】筺体５への筺体側コネクタの取付を説明する斜視図である。
【図１９】固定部へのフェライトコアの配置のバリエーションを説明する図である。
【図２０】固定部のバリエーションを説明する図である。
【発明を実施するための形態】
【００２９】
以下、添付図面を参照して本発明を実施するための実施の形態（以下、単に本実施形態という）について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００３０】
（本実施形態の構成）
図１は、本実施形態に係るコネクタ１００の構成を示す断面図、図２は、コネクタ１００の分解図である。なお、これらの図１及び図２においては、分かり易くするため各部品の間隔を開けて記載しているが、実際に嵌合される部分は隙間がない密閉状態となっている。
【００３１】
本実施形態に係るコネクタ１００は、電気及び電子機器の筐体５の内部側から貫通口５ａに挿通されて外部側へ突出し、フランジ２１で筐体５に固定される筐体側コネクタ２０と、筐体５の外部側に突き出てフランジ２１で固定された筐体側コネクタ２０に、外部側から螺子構造で結合されて電気的に接続される外部側コネクタ２２とを備えて構成されている。
【００３２】
筐体側コネクタ２０は、電気的な接続部分である複数のピン部２０ｅを有するコネクタ部２０ｃと、コネクタ部２０ｃのピン部２０ｅ突出面と反対側の端面に固定されたＬ字型金具によるフェライトコア取付部（Ｌ字型金具部ともいう）２０ｄとを備えて形成されている。この筐体側コネクタ２０は、本実施形態の特徴部品であり、図３（ａ）の側面図に示すように、コネクタ部２０ｃのピン部２０ｅが突き出た端面の反対側の端面にＬ字型金具部２０ｄが一体に形成され、このＬ字型金具部２０ｄの水平面上にフェライトコア７が載置固定されるようになっている。すなわち、フェライトコア取付部２０ｄは、フェライトコア７が載置固定される固定部である。
【００３３】
このフェライトコア７の載置位置は、当該フェライトコア７とコネクタ部２０ｃとの間隔は、ノイズがケーブル４に重畳されない距離である。図３（ｂ）の上面図に示すように、Ｌ字型金具部２０ｄの水平部分には複数の貫通口２０ｇが形成されており、この貫通口２０ｇに、フェライトコア７に巻きつけるバンドである結束バンド２４を通してフェライトコア７を固定するようになっている。
【００３４】
また、筐体側コネクタ２０には、筐体５内の電子部品への接続用のケーブル４が電気的に接続されており、そのケーブル４には電子機器内部で発生してケーブル４で伝送される電磁ノイズをＥＭＩの基準値未満に抑制する環状のフェライトコア７が挿通されている。このフェライトコア７は、フェライトコア取付部２０ｄに載置されて結束バンド２４で固定されている。
【００３５】
フランジ２１は、円筒状を成し、外周の途中部分に周回面に沿って円環状に凸部２１ｅが突き出ており、この凸部２１ｅの筐体５側の周回部分が筐体５の貫通口５ａに差し込まれて凸部２１ｅが筐体５に螺子２２ｋで固定されるようになっている。また、凸部２１ｅと筐体５との間には防水用のＯリング３１が介在される。更に、筐体５から突き出たフランジ２１の外周面の突出側には断面が鋸歯状の螺子溝２１ｃが形成されている。
【００３６】
また、フランジ２１の筐体５から突き出た部分には、内周面に円環状に凸部２１ａが突き出ており、内周面にコネクタ部２０ｃが嵌合されると、その凸部２１ａの開口部２１ｂからコネクタ部２０ｃのピン部２０ｅが外方へ突き出るようになっている。この際、凸部２１ａとコネクタ部２０ｃとの間にはＯリング３２が介在されるようになっている。
【００３７】
外部側コネクタ２２は、内周がフランジ２１に嵌合されるサイズの円筒状を成し、この内周面に螺子溝２１ｃと螺合する螺子溝２２ａが形成されている。また、外部側コネクタ２２におけるフランジ２１の挿入口と反対側に直径の小さい開口を有し、この開口に図示せぬ電源や他の電子機器に接続されるケーブル２３を固定する外部ケーブル固定コネクタ部２２ｂが挿通されるようになっている。
【００３８】
外部ケーブル固定コネクタ部２２ｂは、円筒状を成し、外周の途中部分に周回面に沿って円環状に凸部２２ｃが突き出ており、内周側にケーブル２３が挿入され、このケーブル先端が接続されるケーブル接続中継部２２ｄが嵌合される。つまり、ケーブル２３は外部ケーブル固定コネクタ部２２ｂに挿通されて、その先端がケーブル接続中継部２２ｄに接続されるようになっている。
【００３９】
このケーブル２３が取り付けられた外部ケーブル固定コネクタ部２２ｂを外部側コネクタ２２に差し込み、この外部側コネクタ２２をフランジ２１に嵌め込みながら互いの螺子溝２１ｃ，２２ａを螺合させて結合する。その螺合の際、ピン部２０ｅがケーブル接続中継部２２ｄに差し込まれるようになっている。また、フランジ２１と外部ケーブル固定コネクタ部２２ｂとの間にＯリング３３が介在されるようになっている。
【００４０】
（実施形態の動作）
以下、本実施形態に係るコネクタ１００の筐体５への固定及びフェライトコア７の固定動作について詳細に説明する。
【００４１】
まず、図４（ａ）及び（ｂ）の側面図に示すように、Ｌ字型金具部２０ｄの水平部分の上にフェライトコア７を載置した後、結束バンド２４を貫通口２０ｇに通してフェライトコア７に巻き付け、フェライトコア７を固定する。なお、図４（ｂ）に示す矢印Ｙ３はケーブル４の引き出し方向である。
【００４２】
次に、図４（ａ）に示すように、筐体５の貫通口５ａにフランジ２１の端部を差し込み、この際、凸部２１ｅと筐体５との間にＯリング３１を介在して、螺子２２ｋで固定する。この筐体５に固定されたフランジ２１の開口に、フェライトコア７が固定されたコネクタ部２０ｃを差し込み、この際、凸部２１ａとコネクタ部２０ｃとの間にＯリング３２を介在して、コネクタ部２０ｃをフランジ２１に嵌合固定する。
【００４３】
次に、図２に示すように、ケーブル２３の先端をケーブル接続中継部２２ｄに接続し、このケーブル接続中継部２２ｄを外部ケーブル固定コネクタ部２２ｂの内周側に嵌合する。このケーブル２３が取り付けられた外部ケーブル固定コネクタ部２２ｂを外部側コネクタ２２に差し込み、この外部側コネクタ２２をＯリング３３を介してフランジ２１に嵌め込みながら、互いの螺子溝２１ｃ，２２ａを螺合させて結合する。この螺合の際、ピン部２０ｅがケーブル接続中継部２２ｄに差し込まれる。
【００４４】
これによって、図１に示すように、筐体５にフランジ２１が螺子固定され、このフランジ２１に筐体５内部からコネクタ部２０ｃが嵌合固定され、このコネクタ部２０ｃに筐体５外部から、ケーブル接続中継部２２ｄが嵌め込まれた外部ケーブル固定コネクタ部２２ｂが螺合されて固定される。つまり、この構成のコネクタ１００が筐体５に固定される。
【００４５】
この際、筐体５の外部側において、筐体５とフランジ２１との間にはＯリング３１が介在され、フランジ２１の内周側とコネクタ部２０ｃとの間にはＯリング３２が介在され、フランジ２１の外部への突出部と外部ケーブル固定コネクタ部２２ｂとの間にはＯリング３３が介在されて外部側コネクタ２２がフランジ２１に螺合固定されるので、コネクタ１００と筐体５との隙間が無くなり、雨水などの水が筐体５の内部に入ることはない。
【００４６】
（実施形態の効果）
以上説明のように本実施形態に係るコネクタ１００は、筐体５内で電気及び電子機器に一端が電気的に接続されるケーブル４の他端に接続され、筐体５の貫通口５ａに挿通されて筐体５内から外部にコネクタ部２０ｃが突出して取付けられる。本実施形態の特徴は、コネクタ部２０ｃにおける筐体５外部への突出端部と反対側の端部に、ケーブル４に挿通されるフェライトコア７が、コネクタ部２０ｃに対してノイズが当該ケーブル４に重畳されない距離離れて載置固定される固定部としてのＬ字型金具部２０ｄを、コネクタ部２０ｃと一体に形成したことにある。
【００４７】
これによって、筐体５内部において、コネクタ部２０ｃのＬ字型金具部２０ｄにフェライトコア７を載置固定すれば、必然的にフェライトコア７をコネクタ部２０ｃに対してノイズがケーブル４に重畳されない距離離れた位置に配設することができる。
【００４８】
また、コネクタ１００の各部品を筐体５に組み合わせて固定する際に、筐体５の外部側にＯリング３１〜３４を配置して密閉するので、筐体５の外部側において、コネクタ１００と筐体５との隙間が無くなり、雨水などの水が筐体５の内部に入ることはない。従って、コネクタ１００を侵食しない密閉状に筐体５に固定することができる。
【００４９】
更に、これらのフェライトコア７を載置するＬ字型金具部２０ｄ及びＯリング３１〜３４は簡単な構成並びに通常使用する部品なので、従来のような特殊な部品点数の増加によるコストアップや人的ミス並びに接触不良等の信頼性の低下を招かないようにすることができる。
【００５０】
また、Ｌ字型金具部２０ｄは、フェライトコア７を載置した後、当該フェライトコア７にバンドとしての結束バンド２４を巻き付けて固定する際に、結束バンド２４を挿通する貫通口２０ｇが複数形成された構成となっている。
【００５１】
この構成によれば、フェライトコア７に、結束バンド２４を貫通口２０ｇに挿通しながら巻き付けて固定することができるので、フェライトコア７をＬ字型金具部２０ｄに強固に固定することができる。
【００５２】
この他、図５に示すように、Ｌ字型金具部２０ｄの水平部の上下にフェライトコア７ａ，７ｂを固定することも可能である。この場合、ケーブル４がＡＣ入力電源ケーブルである場合に、そのＥＭＩ対策を行うことができる。
【００５３】
（実施形態の変形例１）
この他、図６（ａ）に示すように、コネクタ部２０ｃ−１と、Ｌ字型金具部２０ｄ−１とを分離し、Ｌ字型金具部２０ｄ−１をコネクタ部２０ｃ−１に固定するアタッチメント構成としてもよい。このアタッチメント型のＬ字型金具部２０ｄ−１は、図６（ｂ）及び（ｃ）に示すように、複数の貫通口２０ｇが形成され、この貫通口２０ｇに結束バンド２４を挿通しながらフェライトコア７に巻き付けて固定する。
【００５４】
また、図６（ｄ）及び（ｅ）に示すように、小型のフェライトコア７ｄを載置固定するＬ字型金具部２０ｄ−２としてもよい。このＬ字型金具部２０ｄ−２は、上記のＬ字型金具部２０ｄ−１よりも小型となっている。
【００５５】
また、図６（ｆ）及び（ｇ）に示すように、コネクタ部２０ｃ−１への取り付け方向と直角に延びる水平部を有し、この水平部の延びる方向に、２つのフェライトコア７ａ，７ｂを円環面を対向させて配置する構成のＬ字型金具部２０ｄ−３としてもよい。この例ではフェライトコア７ａ，７ｂを２つ配列する構造としたが、３以上配列できるようにしてもよい。
【００５６】
更に、図６（ｈ）及び（ｉ）に示すように、コネクタ部２０ｃ−１への取り付け方向と同方向に延びる水平部を有し、この水平部の延びる方向に、２つのフェライトコア７ａ，７ｂを円環面を対向させて配置する構成のＬ字型金具部２０ｄ−４としてもよい。この例ではフェライトコア７ａ，７ｂを２つ配列する構造としたが、３以上配列できるようにしてもよい。
【００５７】
（実施形態の変形例２）
図７に示すように、Ｌ字型金具部２０ｄを有するコネクタ部２０ｃの周回面に突起部２０ｋを設け、筐体５の貫通口５ａに嵌合固定されたフランジ２１の周回壁に突起部２０ｋが移動可能な直線状のスリット２１ｋを形成する。また、コネクタ部２０ｃの周回面には螺子穴２０ｍが形成されており、フランジ２１の周回壁にはコネクタ部２０ｃをフランジ２１の所定位置に嵌合した際にその螺子穴２０ｍと重なる位置に貫通口が形成されており、コネクタ部２０ｃをフランジ２１に嵌め込んだ後に、その貫通口を介して螺子穴２０ｍに螺子２５を螺合してフランジ２１にコネクタ部２０ｃを固定する。なお、螺子穴２０ｍはフランジ２１へのコネクタ部２０ｃの挿入方向と直交方向に形成されている。
【００５８】
この構成によれば、突起部２０ｋをスリット２１ｋに挿通してフランジに嵌め込めば良いので、位置決めが容易となる。また、コネクタ部２０ｃをフランジ２１に嵌合し、この嵌合方向と直交方向に形成されたコネクタ部２０ｃの螺子穴２０ｍにフランジ２１の貫通口を介して螺子２５で固定するので、固定強度が高くなる。通常ではフランジ２１内にコネクタ部２０ｃを挿通して嵌合すると、コネクタ部２０ｃの嵌合入り口の端部分に抜ける力が働くが、螺子２２ｋでの螺子止めによってその力が無くなるので、強固に固定することができる。
【００５９】
なお、以上の構成によれば、電子機器の筐体に貫通口から外部へ突出固定されるコネクタを侵食しない密閉状に固定することができ、このコネクタに接続されたケーブルにノイズが乗らない距離にフェライトコアを筐体内に配設することができ、これらフェライトコア及びコネクタの配設時に部品点数の増加によるコストアップや人的ミス並びに接触不良等の信頼性の低下を招かないようにすることができるコネクタを提供することができる。
【００６０】
（実施形態の変形例３）
図１６は、本実施形態の変形例３の筺体側コネクタ２００の構成を示す断面図である。図１７は、図１６に示す固定部のみを図示する側面図および平面図である。図１８は、筺体５への筺体側コネクタ２００の取付を説明する斜視図である。なお、外部側コネクタ２２については既に詳述したため、説明および図示を省略している。また上記の実施形態において既に詳述した構成要素については、同一の符号を付して説明を省略する。
【００６１】
上記説明した実施形態では、図１に示すように、フェライトコア取付部２０ｄ（固定部）と一体に形成されたコネクタ部２０ｃがフランジ２１に嵌合固定されることにより筐体側コネクタ２０が構成され、かかる筐体側コネクタ２０は、フランジ２１に設けられた凸部２１ｅを螺子２２ｋによってネジ止めすることにより筺体５に取り付けられていた。これに対し、図１６（ａ）に示す筺体側コネクタ２００は、図１の筐体側コネクタ２０のコネクタ部２０ｃとフランジ２１とが一体とに形成されたコネクタ部２１０と、コネクタ部２１０に着脱自在に分離可能なアタッチメント型の固定部２２０によって構成される。
【００６２】
固定部２２０は、図１の筐体側コネクタ２０のフェライトコア取付部２０ｄに相当し、特に本実施形態では、コネクタ部２１０の筐体側の端部（以下、端部２１０ａと称する）を挟むようにそこに締結される。詳細には、図１６（ｂ）に示すように、固定部２２０は、筺体５の貫通口５ａ内において、コネクタ部２１０の筺体５側の端部の上側に装着される上固定部２２２と、かかる端部の下側に装着される下固定部２２４とを有する。
【００６３】
図１７（ａ）に示すように、下固定部２２４の下端にはそこから水平方向に立設する水平部２２６が一体に形成されている。図１７（ｂ）は図１７（ａ）の上面図であり、この図に示すように、水平部２２６には複数の貫通口２０ｇが形成されている。図１７の固定部２２０においても、図１の筐体側コネクタ２０と同様に、貫通口２０ｇに結束バンド２４を挿通し、かかる結束バンド２４をフェライトコア７に巻き付けることにより、図１６（ａ）に示すように固定部２２０にフェライトコア７を固定載置することが可能となる。
【００６４】
上述した筺体側コネクタ２００を筺体５に取り付ける際には、図１８（ａ）に示すように、まずコネクタ部２１０の筺体５側（筐体５の貫通口５ａに挿通される側）の端部２１０ａを筺体５の外側から貫通口５ａに差し込む。そして、凸部２１ｅと筐体５との間にＯリング３１（図１６参照）を介在させた状態で螺子２２ｋ（図１６参照）によって固定する。これにより、図１８（ｂ）に示すようにコネクタ部２１０が筺体５に取り付けられた状態となる。
【００６５】
次に、図１７（ａ）に示す固定部２２０のうち、上固定部２２２を端部２１０ａの上側に、下固定部２２４を端部２１０ａの下側に配置して貫通口５ａに差し込み、上固定部２２２および下固定部２２４によって端部２１０ａを挟み込む。そして、上固定部２２２および下固定部２２４を螺子２２８で固定する。これにより、図１８（ｃ）に示すように上固定部２２２および下固定部２２４が締め付けられて端部２１０ａに固定され、図１６（ａ）に示すように筺体側コネクタ２００が筺体５に取り付けられる。
【００６６】
上記構成によっても、固定部２２０の水平部２２６に載置されたフェライトコア７はコネクタ部２１０の近傍に配置される。したがって、フェライトコア７によるノイズ抑制効果を最大限に得ることができる。またフェライトコア７とコネクタ部２１０とが近接しているため、それらが離れて配置されている場合に比して占有体積を削減することができ、コンパクトな設計が可能となる。
【００６７】
特に、上記の固定部２２０が取り付けられるコネクタ部２１０は、既に説明したように図１の筐体側コネクタ２０のコネクタ部２０ｃとフランジ２１とが一体とに形成された部材である。したがって、コネクタ部２１０には、従来用いられていた外部側の中継コネクタ２ｂ（図１４参照）等の既存の外部ケーブル接続用汎用コネクタ（いわゆる丸型コネクタ）をそのまま適用することができ、汎用性を高めることができる。また、筐体側コネクタ２０のようにコネクタ部２０ｃおよびフランジ２１の両方を作成する必要がなく、コネクタ部２１０に対応する固定部２２０のみを作成すればよいため、コストの削減を図れるとともに、固定部２２０のバリエーションを増やす（サイズを変更する）ことにより、様々な種別の汎用コネクタ（コネクタ部２１０）に対応することも可能である。
【００６８】
更に、本実施形態のように固定部２２０を上固定部２２２および下固定部２２４の２つに分割し、それらによってコネクタ部２１０の端部２１０ａを挟み込んで固定する構成により、汎用コネクタの種別やコネクタメーカの違いによるコネクタ（コネクタ部２１０）の形状差（寸法差）を吸収することができる。
【００６９】
詳細には、固定部２２０の内径を端部２１０ａの径よりも大きめに設定し、クッション材（不図示）を介在させた状態で固定部２２０を端部２１０ａに嵌着する。例えば、固定部２２０の内径を、最も径が大きい端部２１０ａに合わせた径にしておけば、それよりも径の小さい端部２１０ａであれば、その周囲にクッション材を介在させて嵌着することにより、上固定部２２２および下固定部２２４を締め付けた際にクッション材が押しつぶされて変形し、固定部２２０と端部２１０ａとの間の間隙が埋められる。したがって、寸法差を吸収することができる。
【００７０】
図１９は、固定部２２０へのフェライトコア７の配置のバリエーションを説明する図である。図１９（ａ）に示すように、固定部２２０の水平部２２６の上下にフェライトコア７を固定してもよい。この構成は、ケーブル４（図１６参照）がＡＣ入力電源ケーブルであった場合のＥＭＩ対策に特に好適である。また図１６では、フェライトコア７を、その円環面が筐体５と対向するように載置していたが、これに限定するものではなく、図１９（ｂ）および（ｃ）に示すように、円環面が筐体５と直交するようにフェライトコア７を載置することも可能である。これにより、ケーブル４をサイドに引き出すことができる。
【００７１】
図２０は、固定部２２０のバリエーションを説明する図である。図２０（ａ）および（ｂ）では、固定部２２０の水平部２２６に、筐体５への取付方向と直交する方向に延長部２２６ａを設けている。これによれば、図６（ｆ）および（ｇ）と同様に、１つの固定部２２０において、円環面を筐体５に直交させた状態のフェライトコア７を複数配置することが可能となる。また図２０（ｃ）および（ｄ）では、固定部２２０の水平部２２６を、筐体５への取付方向と逆方向に延長させている。これによれば、図６（ｈ）および（ｉ）と同様に、１つの固定部２２０において、円環面を筐体５に対向させた状態のフェライトコア７を複数配置することが可能となる。なお、図２０では、２つのフェライトコア７を配置する場合を例示したが、これに限定するものではなく、３以上のフェライトコア７を配置する構成とすることも当然にして可能である。
【００７２】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００７３】
４・２３…ケーブル、５…筐体、５ａ・２０ｇ…貫通口、７…フェライトコア、２０…筐体側コネクタ、２０ｅ…ピン部、２０ｃ…コネクタ部、２０ｄ…Ｌ字型金具部（フェライトコア取付部）、２０ｇ…貫通口、２１…フランジ、２１ａ・２１ｅ・２２ｃ…凸部、２２ｋ・２５…螺子、２１ｃ・２２ａ…螺子溝、２２…外部側コネクタ、２２ａ…螺子溝、２２ｂ…外部ケーブル固定コネクタ部、２２ｄ…ケーブル接続中継部、２４…結束バンド、３１〜３４…Ｏリング、２００…筺体側コネクタ、２１０…コネクタ部、２１０ａ…端部、２２０…固定部、２２２…上固定部、２２４…下固定部、２２６…水平部、２２６ａ…延長部、２２８…螺子
【図１】
2013069658.tif 000003
【図２】
2013069658.tif 000004
【図３】
2013069658.tif 000005
【図４】
2013069658.tif 000006
【図５】
2013069658.tif 000007
【図６】
2013069658.tif 000008
【図７】
2013069658.tif 000009
【図８】
2013069658.tif 000010
【図９】
2013069658.tif 000011
【図１０】
2013069658.tif 000012
【図１１】
2013069658.tif 000013
【図１２】
2013069658.tif 000014
【図１３】
2013069658.tif 000015
【図１４】
2013069658.tif 000016
【図１５】
2013069658.tif 000017
【図１６】
2013069658.tif 000018
【図１７】
2013069658.tif 000019
【図１８】
2013069658.tif 000020
【図１９】
2013069658.tif 000021
【図２０】
2013069658.tif 000022